(57)【要約】【課題】レーザ光源の破損を防止する。【解決手段】信号の記録時には記録用の直流電流をレーザ光源２に供給し、信号の再生時には再生用目標値のパルス電流をレーザ光源２に供給し、信号の記録から再生への移行時には、記録用目標値から抑制用目標値に徐々に減少するパルス電流をレーザ光源２に供給する。この抑制用目標値は、レーザ光源２に供給される電流がパルス電流から直流電流に切り換わるとき、レーザ光源２の発光パワーがレーザ光源２に許容される出力最大値を超えない値に設定されている。【選択図】　図２
2004071107.tif 000002
【特許請求の範囲】
【請求項１】
レーザ光源から出力されたレーザ光を光学的記録媒体に照射し、情報信号を記録再生する光学的記録再生装置において、
上記レーザ光源の出力値を検出するレーザ光検出手段と、
上記レーザ光検出手段によって検出された出力値と上記レーザ光源の出力目標値とを比較し、上記レーザ光源の出力値が上記出力目標値に一致するように上記レーザ光源を制御するレーザ出力制御手段と、
上記レーザ光の発光をパルス発光又は連続発光に切り換える発光切換手段と、
記録時には、パルス発光を選択するように上記発光切換手段を制御するとともに該記録時のレーザ出力目標値を得るための目標電流値を設定し、再生時には、連続発光を選択するように上記発光切換手段を制御するとともに該再生時のレーザ出力目標値を得るための目標電流値を設定し、記録から再生に移行する前にレーザ出力値が上記レーザ光源に許容される出力最大値を超えないような出力値を得る目標電流値を設定する目標電流値設定制御手段と
を備えることを特徴とする光学的記録再生装置。
【請求項２】
上記目標電流値設定制御手段は、記録から再生に移行する前の目標電流値として０を設定することを特徴とする請求項１記載の光学的記録再生装置。
【請求項３】
上記目標電流値設定制御手段は、記録から再生に移行後の所定期間、パルス発光を継続して選択するように上記発光切換手段を制御するとともに再生時のレーザ出力目標値を得るための目標電流値を設定し、上記所定期間経過後、レーザ出力値が上記レーザ光源に許容される出力最大値を超えないような出力値を得る目標電流値を設定することを特徴とする請求項１記載の光学的記録再生装置。
【発明の詳細な説明】
【０００１】
【発明の属する技術分野】
本発明は、レーザ光を用いて情報信号を記録再生する光学的記録再生装置に関する。
【０００２】
【従来の技術】
従来、光磁気記録媒体に情報信号を記録する方式として、磁界変調方式と呼ばれる方式がある。磁界変調とは、記録する信号”１”、”０”を磁界”Ｓ”、”Ｎ”に変調する方式であり、光磁気記録媒体の表面にレーザ光を照射し、光磁気記録媒体の温度がキュリー点を越えたところで信号に対応した磁界をかけ、光磁気記録媒体を磁化する。
【０００３】
この磁界変調における記録レーザの発光パターンをパルスに変換させたものとして磁界変調パルス方式がある。図５は、磁界変調パルス方式の記録時におけるレーザの発光パワー、記録媒体に与えられる磁界の向き、パルスの基準となるチャネルクロックの波形を示す図である。図５に示すように、レーザ光源は、信号の記録時にパルス発光しており、このレーザ光によって光磁気記録媒体を加熱し、光磁気記録媒体に磁界をかけて信号を記録している。磁界変調パルス方式では、一般に、記録時の発光パターンをパルスにすると、ビットのエッジが明瞭になり、記録密度が向上できることが知られている。
【０００４】
上述のような磁気変調パルス方式の光学的記録再生装置では、レーザの発光パワーを制御するためにＡＰＣ（Ａｕｔｏ　Ｐｏｗｅｒ　Ｃｏｎｔｒｏｌ）２０と呼ばれる回路が用いられている。ＡＰＣ２０は、図６に示すように、増幅器２１を有し、増幅器２１とレーザ光源３１とレーザ光検出部３２とは、閉回路を形成している。増幅器２１は、目標値切換部２２から出力される目標値を入力し、レーザ光源３１の発光パワーが目標値に一致するように追従制御を行う。また、ＡＰＣ２０には、レーザ光源３１への出力をパルスに変換するパルス発生部２３が設けられている。パルス発生部２３は、信号の記録時に増幅器２１から出力される直流電流をパルス電流に変換する。
【０００５】
図７は、信号の記録時・再生時のＡＰＣ２０の目標値、パルス発生の有無、ＡＰＣ２０の出力電流量、およびレーザ光源３１の発光パワーを示す図である。信号の再生時において、ＡＰＣ２０の目標値は再生用目標値に設定されており、増幅器２１の出力電流は直流である。また、信号の記録時には、ＡＰＣ２０の目標値は記録用目標値に設定されており、増幅器２１の出力電流はパルスである。
【０００６】
信号の記録から再生に移行するとき、増幅器２１からの出力をパルスに変換したまま、ＡＰＣ２０の目標値を再生用目標値に切り換える。ＡＰＣ２０の出力を記録用目標値から再生用目標値に切り換えると、ＡＰＣ２０の出力電流は徐々に低下していき再生用目標値に近づく。そして、出力電流が再生用目標値に十分近づいた時点でＡＰＣの出力をパルスから出力に切り換えるようにしている。
【０００７】
記録から再生に移行するとき上記のような処理をするには、以下のような理由がある。レーザ光源３１には、レーザ光源３１の破損を防止するため、発光パワーの上限を定めた定格が定義されている。発光パワーの定格は、発光パターンがパルス時と連続時とで異なり、連続時の定格は、パルス時の定格よりも低い値である。
【０００８】
記録から再生に切り換わるときに、目標値を再生用目標値に切り換えてもＡＰＣの時定数により、記録用目標値から再生用目標値に減少するまでの遅れが生じる。この減少期間に出力電流を直流に切り換えると、レーザ光源３１の発光パワーは、連続時の定格を越えてしまい、レーザ光源３１を破損させてしまうおそれが生じる。そこで、従来の光学的記録再生装置では、記録から再生への移行時にＡＰＣ２０の出力電流が再生用になるまでパルス発光を継続し、出力電流が再生用に切り換わった後に連続発光に切り換える。
【０００９】
【発明が解決しようとする課題】
ところが、図７に示すように、記録から再生への移行時に発光パターンをパルスから連続に切り換えたとき、レーザ光源３１の発光パワーが急激に上昇する瞬間がある。従来の光学的記録再生装置では、再生用目標値が十分小さいため、このような急激な上昇がおきても、このときに発生する発光パワーは、定格値の範囲におさまっている。
【００１０】
しかしながら、ＤＷＤＤ（Ｄｏｍａｉｎ　Ｗａｌｌ　Ｄｉｓｐｌａｃｅｍｅｎｔ　Ｄｅｔｅｃｔｉｏｎ）のような検出方式では、高い再生パワーが要求されるため、再生用目標値が高い値になる。そのため、従来のように再生用目標値まで電流量を減少させたとしても、発光パターンをパルスから連続に切り換える際に、レーザ光源３１から出力される発光パワーが定格値を越えてしまうことがある。
【００１１】
そこで、本発明は、上記課題に鑑みてなされたものであって、光学的記録再生装置において、レーザ光源の破損を防止することを目的とする。
【００１２】
【課題を解決するための手段】
上述した課題を解決するために、本発明にかかる光学的記録再生装置は、レーザ光源の出力値を検出するレーザ光検出手段と、レーザ光検出手段によって検出された出力値とレーザ光源の出力目標値とを比較し、レーザ光源の出力値が出力目標値に一致するようにレーザ光源を制御するレーザ出力制御手段と、レーザ光の発光をパルス発光又は連続発光に切り換える発光切換手段と、記録時には、パルス発光を選択するように発光切換手段を制御するとともに該記録時のレーザ出力目標値を得るための目標電流値を設定し、再生時には、連続発光を選択するように発光切換手段を制御するとともに該再生時のレーザ出力目標値を得るための目標電流値を設定し、記録から再生に移行する前にレーザ出力値がレーザ光源に許容される出力最大値を超えないような出力値を得る目標電流値を設定する目標電流値設定制御手段とを備える。
【００１３】
【発明の実施の形態】
以下、図面を参照して本発明を適用した光磁気記録再生装置１について説明する。光磁気記録再生装置１は、磁界変調パルス方式を用いて、光磁気ディスクに信号の記録および再生を行う装置である。磁界変調パルス方式では、信号の再生時と記録時とで光磁気ディスクを照射するレーザ光の発光パターンが異なり、再生時には連続発光を行い、記録時にはパルス発光を行う。
【００１４】
また、レーザ光源２には、レーザ光源２を破損させないための出力の最大値が規定されており、これを定格値と呼ぶ。定格値は、パルス発光のときと連続発光のときで異なる。図１は、レーザ光の発光パターンと、レーザ光源２に供給される電流量と、レーザの発光パワーの関係を示している。図１に示すように、パルス発光のときの定格値は、連続発光のときの定格値よりも高くなっている。また、レーザ光源２の発光パワーは、レーザ光源２に供給される電流の量に比例しており、電流の量が増加するにつれて、レーザ光源２の発光パワーが増加する。本発明を適用した光磁気記録再生装置１は、レーザ光の発光パターンをパルスから連続へ切り換える時に、レーザ光源２の発光パワーが定格値を越えないように、レーザ光源２に供給する電流量を制御することを特徴とする。
【００１５】
図２は、光磁気記録再生装置１の要部構成を示すブロック図である。光磁気記録再生装置１は、光磁気ディスクにレーザ光を照射し、情報信号を記録再生する記録再生装置であり、レーザ光を発光するレーザ光源２と、レーザ光の発光パワーを検出するレーザ光検出部３と、レーザ光源２の出力を制御するＡＰＣ（ＡｕｔｏＰｏｗｅｒ　Ｃｏｎｔｒｏｌ）４と、光磁気記録再生装置１の各ブロックを制御する制御部５とを有する。
【００１６】
レーザ光源２は、光磁気ディスクにレーザ光を照射する。レーザ光源２には、ＡＰＣ４によって制御された電流が入力され、この電流の量に対応してレーザ光源２の発光パワーが変化する。
【００１７】
レーザ光検出部３は、レーザ光源２から照射されたレーザ光の発光パワーを電圧に変換し、ＡＰＣ４に出力する。レーザ光検出部３には、積分回路が設けられており、検出した電圧値を平均化して出力する。積分回路は、レーザ光源２がパルス発光したときのパルス状の検出結果の平均値をとり、レーザ光検出部３の出力を均す。レーザ光源２のパルス発光は、チャネルクロックと同一の周波数であり、この帯域の電流をＡＰＣ４に出力すると、回路が複雑になる。そのため、積分回路は、レーザ光検出部３の出力結果を均し、回路が複雑になることを防止している。
【００１８】
ＡＰＣ４は、レーザ光検出部３の出力を制御量とし、制御部５から出力される電気信号を目標値として、レーザ光の出力が目標値に一致するように追従制御を行う。図３は、ＡＰＣ４の内部構成を示している。ＡＰＣ４は、増幅器１１と、目標値切換部１２と、パルス発生部１３とを有している。
【００１９】
増幅器１１は、レーザ光源２およびレーザ光検出部３と閉回路を形成しており、目標値切換回路から目標値を入力し、レーザ光源２の発光パワーが目標値に一致するように追従制御を行う。
【００２０】
目標値切換部１２は、ＡＰＣ４の目標値を切り換える。目標値切換部１２は、制御部５からの目標値切換信号を入力し、この信号に基づいてＡＰＣ４への出力を切り換える。目標値切換部１２には、レーザ光の発光パワーを再生用にするための再生用目標値、レーザ光の発光パワーを記録用にするための記録用目標値、発光パワーの急激な増大を抑制するための抑制用目標値が設定されている。ここで、抑制用目標値はゼロに設定されている。
【００２１】
パルス発生部１３は、ＡＰＣ４から出力される直流電流をパルスに変換する。パルス発生部１３は、制御部５から出力されるパルス変換信号によって制御されている。パルス発生部１３は、制御部５からパルスの発生が指示されると、ＡＰＣ４からの出力される直流電流をチャネルクロックに同期したパルスに変換し、パルスの発生が指示されないときは、ＡＰＣ４から出力される直流電流をレーザ光源２に出力する。
【００２２】
制御部５は、データの記録時、再生時、および記録から再生に移行する移行時における目標値切換部１２およびパルス発生部１３の動作制御を行う。データの再生時、制御部５は、目標値切換部１２の出力目標値を再生用目標値に切り換えるとともに、パルス発生部１３のパルス発生の停止を指示する。また、データの記録時、制御部５は、目標値切換部１２の出力を記録用目標値に切り換えるとともに、パルス発生部１３にパルスの発生を指示する。
【００２３】
また、データの記録から再生に移行する移行時には、制御部５は、目標値切換部１２に目標値切換信号を出力し、目標値を再生用目標値に切り換え、所定の時間が経過すると抑制用目標値に切り換える。このとき制御部５は、パルス発生部１３にパルスの発生を指示した状態にあり、レーザ光源２にはパルスが出力される。
【００２４】
次に、光磁気記録再生装置１の動作について図４を参照して説明する。図４は、信号の記録時・再生時におけるＡＰＣ４の目標値、パルス発生の有無、増幅器１１の出力電流量、およびレーザ光源２の発光パワーの関係を示す図である。図４では、図の左から右に向かって時間が推移しており、再生、記録、再生の順に処理が切り換わっている。最初の再生時において、制御部５は、目標値切換部１２の出力を再生用目標値に切り換え、パルス発生部１３のパルス発生処理を停止させる。このとき、ＡＰＣ４の出力電流は再生目標値で一定になり、レーザ光源２は、再生用の発光パワーで連続発光を行う。
【００２５】
そして、再生から記録に切り換わると、制御部５は、目標値切換部１２の出力を記録用目標値に切り換え、パルス発生部１３にパルスの発生を指示する。記録用目標値は、再生用目標値よりも高い値に設定されており、増幅器１１の出力電流も徐々に上昇する。この増幅器１１の出力電流は、パルス発生部１３により、パルスに変換されてレーザ光源２に供給され、レーザ光源２はパルス発光を行う。
【００２６】
次に、記録から再生に切り換わる移行時において、制御部５は、目標値切換部１２の出力を再生用目標値に切り換える。再生用目標値は、記録用目標値よりも低い値であるから、ＡＰＣ４から出力される電流量は徐々に低下する。ＡＰＣの出力電流量が低下するとともにレーザ光源２の発光パワーも減少する。
【００２７】
そして、一定時間が経過すると、制御部５は、目標値切換部１２の出力を抑制用目標値に切り換える。これに応じてＡＰＣ４の出力電流は、さらに低下して抑制用目標値になる。ＡＰＣ４の出力電流が抑制用目標値と一致するまでの時間は、ＡＰＣ４の時定数により予め決まっている。ＡＰＣ４の出力電流が抑制用目標値と一致すると、制御部５は、パルス発生部１３にパルス発生の停止を指示する。
【００２８】
次いで、制御部５は、目標値切換部１２の出力を再生用目標値に切り換える。これにより、ＡＰＣ４の出力は徐々に上昇し、レーザ光源２は、再生用の発光パワーで出力する。
【００２９】
以上説明したように、本発明を適用した光磁気記録再生装置１は、情報信号の記録から再生への移行時、レーザ光源２に出力する電流を抑制用目標値にする。このとき、レーザ光源２の出力パワーも抑制用目標値になるため、レーザ光源２がパルス発光から連続発光に切り換わっても、レーザの発光パワーは、レーザ光源２の定格値を超えることはなく、レーザ光源２の破損を防止することができる。
【００３０】
なお、本発明の要旨は、パルス状のレーザ光を記録媒体に照射して信号を記録し、連続光の戻り光を検出して信号の再生を行う光磁気記録再生装置において、記録から再生処理に移行する際、ＡＰＣの目標値を十分小さな値に設定し、ＡＰＣの出力電流が十分小さくなった時点でパルス発光から連続発光への切り換えを行う点にあり、この要旨を含む変形、改良は、本発明に含まれるものとする。
【００３１】
例えば、上記の例では、抑制用目標値としてゼロを設定したが、必ずしもゼロである必要はなく、レーザ光源の破損を防止する値であれば、ゼロよりも大きな値でもよい。また、上記の例では、目標値を再生用目標値に切り換えた後、ゼロに切り換えて、出力電流量を小さくしたが、再生用目標値に切り換えることなく、直後に抑制用目標値に切り換えてもよい。
【００３２】
また、上記の例において、光磁気ディスクの記録再生を行う光磁気記録再生装置について説明したが、必ずしも光磁気ディスクに限定されるわけではなく、信号の記録時・再生時において、パルス発光から連続発光への切り換えを行う光学的記録媒体は、本発明に含まれるものとする。
【００３３】
【発明の効果】
上述したように、本発明は、信号の記録時には記録用の直流電流をレーザ光源に供給し、信号の再生時には再生用のパルス電流をレーザ光源に供給する光学的記録再生装置において、信号の記録から再生への移行時には、記録用から抑制用に徐々に減少する電流をパルス電流でレーザ光源に供給する。そのため、情報の記録から再生に移行する際、レーザ光源に供給される電流がパルス電流から直流電流に切り換わっても、電流量は十分に減少しているため、レーザ光源の発光パワーは、レーザ光源に許容される出力最大値を超えず、レーザ光源の破損を防止することができる。
【図面の簡単な説明】
【図１】レーザ光源の定格値とレーザ光源に供給される電流との関係を示す図である。
【図２】本発明を適用した光学的記録再生装置の要部構成を示す図である。
【図３】ＡＰＣの内部構成を示す図である。
【図４】レーザ光源に供給される電流およびレーザ光源の発光パワーの推移を示す図である。
【図５】信号記録時におけるレーザの発光パワーおよび記録磁界の関係を示す図である。
【図６】従来のＡＰＣの内部構成を示す図である。
【図７】従来の光学的記録再生装置において、レーザ光源に供給される電流およびレーザ光源の発光パワーの推移を示す図である。
【符号の説明】
１　光学的記録再生装置、２　レーザ光源、３　レーザ光検出部、４　ＡＰＣ、５　制御部、１１　増幅器、１２　目標値切換部、１３　パルス発生部
【図１】
2004071107.tif 000003
【図２】
2004071107.tif 000004
【図３】
2004071107.tif 000005
【図４】
2004071107.tif 000006
【図５】
2004071107.tif 000007
【図６】
2004071107.tif 000008
【図７】
2004071107.tif 000009